(57)【要約】本発明は、好適には、確実に動作するハンドルレバーなどの操作素子によりハウジング（１４）またはキャビネットにおけるドア（１２）または壁を多重ポイントで施錠するロック装置（１０）に関する。このロック装置は、ドアまたは壁（１２）内に支持した操作素子に回転不能に連結した、回転運動（１８）をほぼ並進運動（２０）に変換する連結素子（２２）を設ける。この連結素子（２２）をドアまたは壁（１２）の端縁の近傍に摺動可能に支持したロッド（２４）に連結部（２６）により回動可能に連結し、このロッド（２４）に１個または複数個のロック素子（２８）をそれぞれ結合素子（３０，３２）によって連結することにより、ロッド（２４）が第１位置から第２位置に摺動する際に、ロック素子（２８）が固定位置から解除位置に、またはその逆に移動し、この際ロック素子（２８）および連結素子（２２）をそれぞれ、一体構造の２アームレバー（２２）によって構成し、このレバー（２２）の一方のレバーアーム（３０）によって舌状ロック片を構成し、他方のレバーアーム（３２）の端部（４０）をロッド（２４）に回動可能に連結する。本発明によれば、２個のレバーアーム（３０，３２）は、１２０°〜１５０°の角度、好適には、約１３５°（または２２５°）の角度をなし、また２アームレバー（２２，１２２，２２２，３２２）のうち少なくとも１個を、操作素子の駆動シャフト（４２）に対して相対回転不能に連結する。
2009504951.tif 000002
【特許請求の範囲】
【請求項１】
好適には、安全に固定可能なハンドルレバーなどの操作素子（１６）により、ドア（１２）または壁部をハウジング（１４）またはキャビネットに多重ポイントで施錠するためのロック装置（１０）であって、ドアまたは壁（１２）内に支持した操作素子（１６）に対して相対回転不能に連結して、回転運動（１８）をほぼ並進運動（２０）に変換する連結素子（２２）を有し、この連結素子（２２）をドアまたは壁（１２）の端縁の近傍で変位可能に支持したロッド（２４）に対して回動可能に連結（２６）し、このロッド（２４）に１個または複数個のロック素子（２８）をそれぞれ結合素子（３０，３２）によって連結することにより、ロッド（２４）が第１位置から、第２位置に変位する際に、ロック素子（２８）がロック位置からロック解除位置に（または逆に）移動し、この際ロック素子（２８）および連結素子（２２）をそれぞれ、２アーム一体構造のレバー（２２）によって構成し、このレバー（２２）の一方のレバーアーム（３０）によって舌状ロック片を構成し、他方のレバーアーム（３２）の端部（４０）をロッド（２４）に回動可能に連結し２個のレバーアーム（３０，３２）が１２０°〜１５０°の角度、とくに約１３５°（または２２５°）の角度（３４，３６）ををなし、２アーム一体構造の前記レバー（２２，１２２，２２２，３２２）のうち少なくとも１個を操作素子（６０）の駆動シャフト（４２）に対して相対回転不能に連結し、前記２アーム一体構造のレバー（２２）を、前記レバーアーム（３０，３２）の双方における長手方向軸線（４８，５０）の交点で、ドアもしくは壁（１２）、またはこれらのドアもしくは壁（１２）に支持した、補強プロファイル構体などの支持体（４４）に回転可能に支持した該ロック装置（１０）において、前記２アーム一体構造のレバーの軸受領域に、伝達部材（７６）または矩形体を形状規制ロック状態となるよう収容する凹部／凸部（７８）を設け、この伝達部材（７６）または矩形体をロック駆動装置（８０）の一部とするか、またはスピンドルもしくは駆動シャフト（８２）により駆動するものとしたことを特徴とするロック装置。
【請求項２】
請求項１に記載のロック装置において、ロッド（２２４）における（例えば最後尾の）２アーム一体構造のレバー（２２２）によって他の伝達ロッド（１２４）を回動可能に連結できるものとし、この他の伝達ロッド（１２４）を同一方向（３２４）または反対方向（１２４）に、とくに２アームレバーを駆動するロッド（２２４）に対して直交する方向に変位可能としたロック装置。
【請求項３】
請求項２記載のロック装置において、２アーム一体構造のレバー（３２２）を前記追加した他のロッド（２４）に同様に回動可能に連結したロック装置。
【請求項４】
請求項１〜３のいずれか一項に記載のロック装置において、２アーム一体構造のレバー（３０，３２）に第３レバーアーム（４６）を設け、この第３レバーアーム（４６）の軸線（４８）を他のレバーアーム（２３２）の軸線（５２，５０，２５０）に対してオフセットした位置に配置し、前記他のロッドを駆動するものとしたロック装置。
【請求項５】
請求項１〜４のいずれか一項に記載のロック装置において、回動可能な連結をピン／孔システム（５４,５６）、ねじ連結またはリベット連結によって行うロック装置。
【請求項６】
請求項１〜５のいずれか一項に記載のロック装置において、２アーム一体構造のレバー（２２）の支持を、段差部（５８）および環状肩部（６０）で終端するスリーブ（６２）によって行い、段差部（５８）の直径および高さを、２アーム一体構造のレバー（２２）がわずかな遊びによって回転可能に段差部（５８）に支持できる寸法に選択したロック装置。
【請求項７】
請求項６記載のロック装置において、前記スリーブ（２６２）にねじ孔（６４）を設け、このねじ孔は、一方で固定面に貫通するねじボルト（６６）を、他方でヘッド付きねじ（６８）を収容するものとしたロック装置。
【請求項８】
請求項７記載のロック装置において、前記ねじスリーブに少なくとも部分的に、例えば側面を平坦化した、または六角形形状に構成した、角柱状の断面を設けたロック装置。
【請求項９】
請求項６または７記載のロック装置において、前記ねじボルトを、金属板によって構成するドアリーフ（１２）に圧入、溶接、または好適にはシールを用いて、合成材料など任意の材料によって構成したドアリーフ（１２）にねじ付けたロック装置。
【請求項１０】
請求項６記載のロック装置において、前記スリーブを貫通スリーブとして構成し、この貫通スリーブによってねじボルトを案内し、このねじボルトを圧入式、溶接式もしくは標準のナットなどのナット、または、二重壁、アングル部材もしくはフレーム（４４）のねじ孔（７０）にねじ付けたロック装置。
【請求項１１】
請求項６〜１０のいずれか一項に記載のロック装置において、ワッシャをねじヘッドとレバーとの間に配置したロック装置。
【請求項１２】
請求項６記載のロック装置において、前記スリーブを貫通スリーブとして構成し、この貫通スリーブによってねじボルトを案内し、このねじボルトを固定面（１２）に圧入、溶接または、場合によってはシールを用いてねじ付け、２アーム一体構造のレバー（２２）をボルトにねじ付け、ストップナット（７２）などのナットによって、場合によっては中間位置にワッシャ（７４）を用いて保持したロック装置。
【請求項１３】
請求項１〜１２のうちいずれか一項に記載のロック装置において、ロック駆動装置に、トラフ（８４）に畳み込むことができるロックレバー（８６）を設け、このロックレバー（８６）を折り畳んだ状態において随意にロック可能（８８）としたロック装置。
【請求項１４】
請求項１３記載のロック装置において、ロックレバー（８６）をシャフト（８２）の端部に回動可能に連結したロック装置。
【請求項１５】
請求項１３または１４記載のロック装置において、トラフ（８４）をロックハウジング（９０）に保持したロック装置。
【請求項１６】
請求項１５記載のロック装置において、回動可能に連結したスピンドル（８２）を例えばロックケース（９２）内に取り付けたロック装置。
【請求項１７】
請求項１〜１６のいずれか一項に記載のロック装置において、２アーム一体構造のレバー（１２２）をプロファイル構体（４４）の断絶部内で操作手段によって支持したロック装置。
【発明の詳細な説明】
【技術分野】
【０００１】
本発明は、随意にロック状態において安全に固定可能なハンドルレバーなどの操作素子により、ドアまたは壁部をハウジングまたはキャビネットに多重ポイントで施錠するためのロック装置に関する。このロック装置は、ドアまたは壁内に支持した操作素子に対して相対回転不能に連結して、回転運動をほぼ並進運動に変換する連結素子を有し、この連結素子をドアまたは壁の端縁近傍で変位可能に支持したロッドに対して回動可能に連結する。このロッドに１個または複数個のロック素子を、それぞれ結合素子によって連結することにより、ロッドが第１位置から第２位置に変位する際に、ロック素子がロック位置からロック解除位置に（または逆に）移動する。ロック素子および連結素子はそれぞれ、２アーム一体構造のレバーによって構成し、一方のレバーアームによって舌状ロック片を構成し、他方のレバーアームの端部をロッドに回動可能に連結する。
【背景技術】
【０００２】
特許文献１（国際公開第２００５／０５７３１２号）には、この種のロック装置が記載されている。このロック装置においては回転運動の際に多数個のピニオンを有する鋸歯状ラックに係合し、このうち１個のピニオンを操作素子、すなわち旋回した位置においてロック可能な旋回レバーに対して回転不能に連結する。他のピニオンまたは歯車には９０°の間隔で配置した凹所に挿入可能な締結素子を備える。
【０００３】
さらに発明者には、ロッドを１（ワン）アームのレバー装置によってドアの端縁で、ドア稜線に対してほぼ平行に摺動可能としたロック装置が知られている。１アームレバーの回転軸受領域には、特許文献１と同様、４個の異なる位置に９０°の間隔で舌状ロック片を配置する。レバーには舌状ロック片を設けず、旋回レバー回転駆動装置の駆動シャフトに連結する。
【０００４】
特許文献２（独国特許発明第１９９４６７７３号）には、スイッチボックスの扉を多重ポイントで施錠するためのロックが記載されている。このロック装置では、ピニオンによって２個の互いに反対方向に摺動するロッドを駆動し、これらのロッドの端部にロックレバーのレバーアームを回動可能に連結する。このレバーアームに上昇傾斜面を設けることにより、ロッドをロック方向に摺動すると、扉のフレームによって構成する後方係合面に後方で係合する。これにより、一体構造の２アームレバーが一方で舌状ロック片としての機能、他方で連結および、舌状ロック片とロッドとの間における並進運動から回転運動への運動変換としての機能を有する。特に一方のレバーアームによって舌状ロック片を構成し、他方のレバーアームの端部をロッドに回動可能に連結し、これにより伝達体を構成する。このため、ロック装置を操作する際に舌状ロック片がロッドによって直接駆動される。
【特許文献１】国際公開第２００５／０５７３１２号明細書
【特許文献２】独国特許発明第１９９４６７７３号明細書
【発明の開示】
【発明が解決しようとする課題】
【０００５】
本発明の課題は、既知の構造をさらに単純かつ安価に製造し、また簡単かつ経済的な、舌状ロック片を有する多重ポイントロック装置のための駆動装置を得ることにある。
【課題を解決するための手段】
【０００６】
この課題は、本発明によれば、複数個の２アーム一体構造レバーのうち少なくとも１個を操作素子の駆動シャフトに対して相対回転不能に接続し、また２個のレバーアームが１２０°〜１５０°の角度、とくに約１３５°（または２２５°）の角度をなすよう構成することによって解決する。これにより、変位ロッドによって複数個の可動ロック素子を中央において駆動できる。また、変位ロッドを移動する駆動ボルトを前述の種のロック素子によって構成することにより、ロック装置の構成がとくに簡単になる。
【０００７】
これにより、操作素子によって２アーム一体構造のレバーを直接駆動できる。
【発明を実施するための最良の形態】
【０００８】
運動学上の理由により、請求項２に記載のように２アーム一体構造のレバーを２個のアームの双方における長手方向軸線の交点でドアもしくは壁、またはこれらに支持した、補強プロファイル構体などの支持体に回転可能に支持すると有利である。
【０００９】
本発明の他の実施形態（請求項３）によれば、ロッドにおける最後尾の２アーム一体構造のレバーによって他の伝達ロッドを回動可能に連結できるものとし、この他の伝達ロッドを同一方向または反対方向に、とくに２アームレバーを駆動するロッドに対して直交する方向に変位可能とする。これにより、多数の端縁をドアにロックできる。
【００１０】
本発明のほかの実施形態によれば、この他のロッドにも同様に２アームレバーを回動可能に連結する（請求項４）。
【００１１】
２アーム一体構造のレバーに（請求項５）第３レバーアームを設け、この第３レバーアームの軸線を他のレバーアームの軸線に対して１８０°オフセットする位置に配置し、他のロッドを駆動する。
【００１２】
回動可能な連結を（請求項６）ピン／孔システム、ねじ連結またはリベット連結によって行う。
【００１３】
２アーム一体構造のレバーの支持を（請求項７）、段差部および環状肩部で終端するスリーブによって行い、段差部の直径および高さを、２アーム一体構造のレバーがわずかな遊びによって回転可能に段差部に支持できる寸法に選択する。
【００１４】
スリーブに（請求項８）ねじ孔を設け、このねじ孔は、一方で固定面から貫通するねじボルトを、他方でヘッド付きねじを収容するものとする。
【００１５】
ねじスリーブに（請求項９）少なくとも部分的に、例えば側面を平担化した、または六角形として構成した、角柱状の断面を設けると有利である。これにより、スリーブを簡単に現行のスタッドボルトまたは同様のものにねじ付けできる。
【００１６】
代案として（請求項１０）、ねじボルトを金属板によって構成するドアリーフに圧入、溶接、または好適にはシールを用いて、合成材料など任意の材料によって構成したドアリーフにねじ付けることができる。
【００１７】
代案として、スリーブを貫通スリーブとして構成し、この貫通スリーブによってねじボルトを案内し、このねじボルトを圧入式、溶接式または標準のナットなどのナット、または、二重壁、アングル部材もしくはフレームにおけるねじ通路にねじ付ける(請求項１１)。
【００１８】
ねじヘッドとレバーとの間には、ワッシャを配置できるものとする（請求項１２）。
【００１９】
他の実施形態によれば、スリーブを貫通スリーブとして構成し、この貫通スリーブによってねじボルトを案内し、このねじボルトを固定面に圧入、溶接または、場合によってはシールを用いてねじ付け、２アーム一体構成のレバーをボルトにねじ付け、ストップナットなどのナットによって、場合によっては中間位置にワッシャを用いて保持する（請求項１３）。
【００２０】
さらに別の実施例によれば、２アーム一体構成のレバーの軸受領域に、伝達部材または矩形体を形状規制ロック状態となるよう収容する凹部／突部を設け、この伝達部材または矩形体をロック駆動装置の一部とするか、または、スピンドルもしくは駆動シャフトによって駆動するものとする（請求項１４）。
【００２１】
さらに別の実施例によれば、ロック駆動装置に、トラフに畳み込むことができるロックレバーを設け、このロックレバーを折り畳んだ状態において随意にロック可能とする（請求項１５）。
【００２２】
次に、図面につき本発明の好適な実施例を説明する。
【実施例】
【００２３】
図１に、好適には固定可能な操作素子、例えばハンドルレバー１６によって、ハウジングまたはキャビネット１４におけるドアまたは壁１２を多重ポイントで施錠するためのロック装置１０を示す。このロック装置１０は、ドアまたは壁１２に支持した操作素子１６に対して回転不能に連結し、かつ回転運動１８をほぼ並進運動２０に変換する連結素子２２を有し、この連結素子２２を関節連結２６によって、ドアまたは壁１２の端縁の近傍に変位可能に支持したロッド２４に連結する。このロッド２４に１個または複数個のロック素子２８を、それぞれ連結素子２２によって連結することにより、ロッド２４が第１位置（図８Ｅ参照）から、第２位置（図１または図９Ｅ参照）に変位する際に、連結素子２２はロック位置からロック解除位置に（または逆に）移動する。ロック素子２８および連結素子２２はそれぞれ、２アーム一体構造（ワンピース）のレバー２２によって構成し、このレバー２２における２個のレバーアーム３０，３２は、互いに約１３５°または２２５°の角度（符号３４または３６）をなす。
【００２４】
図面から明らかなように、一方のレバーアーム３０は上昇傾斜面３８を有する舌状ロック片を構成する。他方のレバーアーム３２の端部３４をロッド２４に回動可能に連結する。
【００２５】
２アーム形のレバー２２，１２２，２２２のうち少なくとも１個を操作素子１６の駆動シャフト４２に対して相対回転不能に連結する。
【００２６】
この場合は、駆動シャフト４２によって２本アームのレバーの支持も行う。そうでない場合は、２個のレバーアームにおける長手方向軸線５０，５２の交点において、ドアもしくは壁１２に、またはキャリヤ４４（図４参照）、例えば、これらのドアもしくは壁１２に支持した補強プロファイル構体に回転可能に取り付ける。
【００２７】
ロッド２４における最後尾の２アームレバー１２２を他の連行ロッド１２４に回動可能に連結できる。この伝達ロッド１２４は、同一方向または反対方向、とくに矢印２０，１２０，２２０により示す、２アームレバー２２２で駆動されるロッド２２４に対して直交する方向に変位可能とする。別のロッド１２０には同様に２アームレバー３２２を回動可能に連結できる。
【００２８】
図１に示すように、２アームレバー２２２に第３レバーアーム４６を設けることができる。この第３レバーアーム４６の軸線４８を他方の回動可能連結レバー１３２の軸線５０に対して例えば９０°または１２０°ずらした位置に配置し、他のロッド１２４を駆動する。
【００２９】
図６Ａに示すように、ロッド２４と２アームのレバー１２２との間の回動可能連結をピン／孔システム（符号５４,５６参照）によって行うことができる。代案として、この回動可能連結をねじ連結またはリベット連結によって行い、これにより適切な回転能力を得ることができる。
【００３０】
２アームレバー１２２を、例えば段差部５８および環状肩部６０で終端するスリーブ６２によって支持できる。段差部５８の直径および高さは、２アームレバー１２２がわずかな遊びによって回転可能に段差部５８において支持できるように選択する。
【００３１】
図３に示すように、スリーブ２６２にねじ孔６４を設け、このねじ孔６４は、一方の側で固定面２１２に貫通するねじボルト６６を、他方の側でヘッド付きねじ６８を収容する。
【００３２】
図３に示す実施例では、ねじ６８のヘッドを段差部２５８から突出させることにより、２アームレバー２２２がねじスリーブ２６２から抜け出るのを回避する。
【００３３】
ねじボルト６６を、金属板によって構成するドアリーフ２１２に圧入、溶接、または好適にはシールを用いて、ドアリーフにねじ付けすることができる。ねじボルト６６をねじ付ける場合は、ドアリーフ２１２は、任意の材料、例えば合成材料によって構成できる。
【００３４】
ねじスリーブ２６２のねじ付けは、ねじスリーブ２６２に少なくとも部分的に、例えば側方を平板化したり、または六角形として構成した、角柱状の断面を設けると容易になる。
【００３５】
図４に示すように、スリーブ１６２を貫通スリーブとして構成し、この貫通スリーブによってヘッドねじ１６８を案内し、このヘッドねじ１６８を圧入式ナット、溶接式ナットもしくは標準のナットなどのナット７０にねじ付けする、または、二重壁４４、アングル部材もしくはフレームにおけるねじ孔にねじ付ける。
【００３６】
ワッシャ（図３には示さない）をヘッド付きねじ６８のねじヘッドと、レバーまたは舌状ロック片２２２との間に配置することができる。
【００３７】
図５に示す他の実施例では、スリーブ３６２を貫通スリーブとして構成し、この貫通スリーブにねじボルト３６６を案内する。このねじボルト３６６を固定面１２に圧入、溶接または、場合によってはシールを用いてねじ付け、２アームレバーまたは舌状ロック片３２２をボルト３６６にねじ付けるストップナット７２などのナットによって、場合によっては中間位置にワッシャ（図６Ｂにおける符号７４参照）を用いて保持する。
【００３８】
図７Ａには、２アームレバー２２２の軸受領域に凹部／凸部７８を設けたロック装置を示す。この凹部／凸部７８によって伝達部材１７６または矩形体を形状規制ロックによって収容し、この伝達部材１７６をロック駆動装置８０の一部として構成する、またはこのロック駆動装置のスピンドルもしくはシャフト８２によって駆動する。
【００３９】
図７Ｂには、トラフ８４内に畳み込むことができるロックレバー８６を有するロック駆動装置８０を示す。このロックレバー８６をシャフト８２の端部に回動可能に連結し、折り畳んだ状態において、随意に、図７Ｂに示すようなシリンダロック８８によりロックすることができる。
【００４０】
トラフ８４をロックハウジング９０に保持し、回動自在に連結するスピンドル８２の軸受を、例えばロックケース９２に設ける。
【００４１】
図６Ａにはロッド２４によって駆動する２アームレバー１２２を示すとともに、図７Ａに示す２アームレバー２２２は操作手段８６によって駆動し、この２アームレバー２２２自体がロッド２４を駆動する。２アームレバー１２２を図６Ａの実施例では補強プロファイル構体４４によって支持する一方で、図７Ａの実施例では補強プロファイル構体に断絶部を設け、この断絶部において２アームレバー２２を動作可能に配置する。
【図面の簡単な説明】
【００４２】
【図１】ドアをドアフレームに多重施錠する本発明によるロック装置を示す線図的説明図である。
【図２】同様に本発明装置の作動原理を示す線図的説明図である。
【図３】２アームレバーを支持する第１実施形態を示す縦断面図である。
【図４】２アームレバーを支持する他の実施形態を示す、図３と類似の縦断面図である。
【図５】２アームレバーを支持するさらに他の実施形態を示す同様の縦断面図である。
【図６Ａ】本発明のロック装置を備えたドアリーフのコーナー領域（作動領域）の一部を示す斜視図である。
【図６Ｂ】図６Ａに示すロック装置の分解斜視図である。
【図７Ａ】本発明のロック装置を備えた、ドアリーフの作動領域の斜視図である。
【図７Ｂ】本発明ロック装置の作動領域の斜視分解図である。
【図８Ａ】多重ポイントで施錠する本発明ロック装置を設けたドアリーフの解錠状態を示す正面図である。
【図８Ｂ】図８ＡのＡ−Ａ線上における断面図である。
【図８Ｃ】図８Ａまたは図８Ｂに示す装置の右下のコーナーにおける横断面図である。
【図８Ｄ】図８ＡのＢ−Ｂ線上断面図である。
【図８Ｅ】図８Ａに示す本発明ロック装置を設けた、ドアの右下コーナーにおける解錠状態を示す図である。
【図９Ａ】本発明ロック装置を設けたドアのロック状態を示す図８Ａと同様の正面図である。
【図９Ｂ】図９ＡのＡ−Ａ線上における断面図である。
【図９Ｃ】図９Ａまたは図９Ｂに示すドアリーフの右下コーナーにおける断面図である。
【図９Ｄ】図９ＡＢ−Ｂ線上における断面図である。
【図９Ｅ】閉鎖位置における２アームレバーを示す、図９Ａのドアの右下コーナーを示す図である。
【符号の説明】
【００４３】
１０                            ロック装置
１２，２１２                    ドア、壁
１４                            キャビネット、ハウジング
１６                            ハンドルレバー、操作素子
１８                            回転運動
２０，１２０，２２０            並進運動
２２，１２２，２２２，３２２    連結素子、レバー
２４，１２４，２２４，３２４    ロッド
２６，１２６                    連結部、回動可能（関節）連結部
２８                            スキー素子
３０，２３０                    レバーアーム
３２，２３２                    レバーアーム
３４                            １３５°角度部
３６                            ２２５°角度部
３８                            上昇傾斜面
４０                            端部
４２                            駆動シャフト
４４                            保持素子、補強プロファイル構体
４６                            第３レバーアーム
４８                            長手方向軸線
５０                            長手方向軸線
５２                            長手方向軸線
５４                            ピン
５６                            孔
５８，２５８                    段差部
６０，２６０                    環状肩部
６２，１６２，２６２，３６２    スリーブ
６４                            ねじ孔
６６，３６６                    ねじボルト
６８，１６８                    ヘッドねじ
７０                            ナット、ねじ孔
７２，１７２                    ストップナット
７４，１７４，２７４            ワッシャ
７６                            伝達部材
７８                            凹部／凸部
８０                            ロック駆動装置
８２                            スピンドル、シャフト
８４                            トラフ
８６                            ロックレバー
８８                            ロック手段
９０                            ロックハウジング
９２                            ロックケース
【図１】
2009504951.tif 000003
【図２】
2009504951.tif 000004
【図３】
2009504951.tif 000005
【図４】
2009504951.tif 000006
【図５】
2009504951.tif 000007
【図６Ａ】
2009504951.tif 000008
【図６Ｂ】
2009504951.tif 000009
【図７Ａ】
2009504951.tif 000010
【図７Ｂ】
2009504951.tif 000011
【図８Ａ】
2009504951.tif 000012
【図８Ｂ】
2009504951.tif 000013
【図８Ｃ】
2009504951.tif 000014
【図８Ｄ】
2009504951.tif 000015
【図８Ｅ】
2009504951.tif 000016
【図９Ａ】
2009504951.tif 000017
【図９Ｂ】
2009504951.tif 000018
【図９Ｃ】
2009504951.tif 000019
【図９Ｄ】
2009504951.tif 000020
【図９Ｅ】
2009504951.tif 000021
【国際調査報告】
2009504951.tif 000022
2009504951.tif 000023
2009504951.tif 000024
2009504951.tif 000025
2009504951.tif 000026
2009504951.tif 000027